(57)【要約】      （修正有）【課題】人体の生理機能を活性化させることで、特に末梢血管運動機能を向上させる。【解決手段】人体Ｍに、３１℃〜３４℃の高温温度域での温熱刺激と１８℃〜２２℃の低温温度域での冷熱刺激を繰り返して与える。この高温低温刺激によって人体Ｍの生理機能、特に末梢血管運動機能が活性化され、血圧調節作用とか血液循環調節作用とか体温調節作用の促進によって、高血圧の予防、代謝・修復機能の低下防止、疲労回復の促進あるいは熱中症の予防等が図られる。また、この場合、３１℃〜３４℃の高温温度域は発汗による熱放射のみが行なわれると考えられる上限温度域であり、１８℃〜２２℃の低温温度域は人体Ｍの震えが生じないと考えられる下限温度域であることから、上記高温温度域及び低温温度域を上記範囲に設定することで、人体Ｍに対して充分に高温低温刺激を与えることができ、高温低温刺激による人体Ｍの生理機能の活性化がより一層促進される。【選択図】図２
2009041795.tif 000002
【特許請求の範囲】
【請求項１】
人体（Ｍ）に、３１℃〜３４℃の高温温度域での温熱刺激と１８℃〜２２℃の低温温度域での冷熱刺激を繰り返して与えることを特徴とする生理機能活性化方法。
【請求項２】
請求項１において、
上記低温温度域又は／及び上記高温温度域への移行後所定時間だけ当該温度を保持することを特徴とする生理機能活性化方法。
【請求項３】
請求項１又は２において、
上記高温刺激と低温刺激を、１日１時間以上で且つ５日間以上連続で与えることを特徴とする生理機能活性化方法。
【請求項４】
人体（Ｍ）に、３１℃〜３４℃の高温温度域での温熱刺激と１８℃〜２２℃の低温温度域での冷熱刺激を繰り返して与え得るように構成された温度変動手段（Ｚ）を備えたことを特徴とする生理機能活性化装置。
【請求項５】
請求項４において、
上記温度変動手段（Ｚ）が、冷熱と温熱を発生するヒートポンプ式空気調和機（２）で構成されていることを特徴とする生理機能活性化装置。
【請求項６】
請求項４において、
上記温度変動手段（Ｚ）が、ペルチェ素子を用いた冷熱発生部（４）と、ペルチェ素子又はヒータを用いた温熱発生部（５）で構成されていることを特徴とする生理機能活性化装置。
【請求項７】
請求項４において、
上記温度変動手段（Ｚ）が、冷凍機を用いた冷熱発生部と、ヒータを用いた温熱発生部（５）で構成されていることを特徴とする生理機能活性化装置。
【発明の詳細な説明】
【技術分野】
【０００１】
本願発明は、人体の末梢血管運動機能等の生理機能の活性化の方法及びその装置法に関するものである。
【背景技術】
【０００２】
人体の生理機能のうちでも、特に末梢血管運動機能は、血圧調節、血液循環調節、体温調節に重要な役割を果たしている。従って、この末梢血管運動機能が低下すると、血圧調節作用が損なわれて高血圧を引き起こすとか、血液循環調節作用が損なわれて代謝・修復機能が低下し疲労回復が遅れるとか、体温調節作用が損なわれて熱中症になり易くなる、等の身体的な変調を招来することになり、健康的な生活を営む上において問題となる。
【０００３】
このような問題を、室内の空気調和という観点から捉え、その改善を図らんとするものとして、特許文献１〜３に示されるものが知られている。
【０００４】
特許文献１に示されるものは、空調機による暖房運転又は冷房運転状態において、空調使用者の身体状態を示す指標の一つとして該空調使用者の皮膚温を採用し、皮膚温に基づいて最適な空調運転状態を判断することで、身体に適合した健康的な生活環境を得んとするものである。
【０００５】
特許文献２に示されるものは、空調環境に応じて変化する生理的状態を判断基準として空調制御を行なうに際して、空調使用者の皮膚温及び発汗量を生理的状態の判断基準として採用し、これらの基準に基づいて最適な空調条件を求めるものである。
【０００６】
特許文献３に示されるものは、温風暖房機を用いた暖房状態時において、該温風暖房機からの吹出し温度や吹出風量を変動させることで、人体に与えられる温熱刺激を変動させ、これによって自律神経系を刺激し、人体のリラックス状態を増進させようとするものである。
【０００７】
【特許文献１】特開２００４−１２５３７６号公報
【特許文献２】特開２００３−４２５０８号公報
【特許文献３】特開２００１−１４１３０６号公報。
【発明の開示】
【発明が解決しようとする課題】
【０００８】
しかしながら、特許文献１及び２に示される技術は、共に、人体の生理的状態に対応した空調環境を得るものであって、人体側の生理機能を改善するものではないことから、その空調環境下に留まる限り、例えば、冷房環境下での冷え性等は予防できるものの、人体が存在する環境が異なれば当該予防効果を得ることができないものである。
【０００９】
また、特許文献３に示される技術では、人体に与えられる温熱刺激を変動させることで自律神経系を刺激するものであって、人体のリラックス状態を増進させる効果は得られるものの、人体の生理機能の活性化という点において有効な効果はさほど期待できないものである。
【００１０】
そこで本願発明は、人体の生理機能を活性化させることで、特に末梢血管運動機能を向上させ、これによって、例えば、高血圧の予防、代謝・修復機能の低下防止、疲労回復の促進、熱中症の予防等を図ることを目的としてなされたものである。
【００１１】
ここで、本願発明者らは、人体に温熱刺激と冷熱刺激を繰り返して与えることでその生理機能、特に末梢血管運動機能を向上させ得る、との予測の下に、所定条件で実験をしてこれを検証した。
【００１２】
ここでは、温風（温熱）と冷風（冷熱）を選択的に発生可能なヒートポンプ式の空気調和機を備えた試験室（図１参照）を用意し、ここに被験者を入室させる。そして、図１１に示すように、１８℃〜２２℃の低温温度域（特に、この実験では２０℃を採用した）から、３１℃〜３４℃の高温温度域（特に、この実験では３２℃を採用した）まで２５分をかけて徐々に吹出温度を上昇させ、ここで１０分間、３２℃の温度を保持する。しかる後、今度は逆に吹出温度を、３２℃から２０℃まで２５分をかけて徐々に低下させる。このような温度変動を、１日１時間以上、且つ５日間連続して人体に与えた。
【００１３】
そして、この実験の前と後に、それぞれ冷水に対する被験者の指先皮膚温（即ち、末梢血管運動の指標となる温度）の反応性を測定し、その結果を図１２に示した。
【００１４】
この図１２によれば、指先を冷水に浸漬すると、実験前の場合も実験後の場合も共に、指先皮膚温が急速に低下する。しかし、その指先皮膚温の回復傾向は、高温低温刺激後の方が、高温低温刺激前の場合よりも早期に表われることが認められた。このことは、高温低温刺激後においては、高温低温刺激前よりも指先皮膚温の反応性が向上したこと、即ち、末梢血管運動機能が活性化されたことを表しているものと理解できる。
【００１５】
これによって、「人体に温熱刺激と冷熱刺激を繰り返して与えることでその生理機能、特に末梢血管運動機能を向上させ得る」ことが検証された。
【課題を解決するための手段】
【００１６】
本願発明では、上述の検証事実を踏まえて、上記課題を解決せんとするもので、そのための具体的手段として次のような構成を採用している。
【００１７】
本願の第１の発明に係る生理機能活性化方法では、人体Ｍに、３１℃〜３４℃の高温温度域での温熱刺激と１８℃〜２２℃の低温温度域での冷熱刺激を繰り返して与えることを特徴としている。
【００１８】
本願の第２の発明では、上記第１の発明に係る生理機能活性化方法において、上記低温温度域又は／及び上記高温温度域への移行後所定時間だけ当該温度を保持することを特徴としている。
【００１９】
本願の第３の発明では、上記第１又は第２の発明に係る生理機能活性化方法において、上記高温刺激と低温刺激を、１日１時間以上で且つ５日間以上連続で与えることを特徴としている。
【００２０】
本願の第４の発明に係る生理機能活性化装置では、人体Ｍに、３１℃〜３４℃の高温温度域での温熱刺激と１８℃〜２２℃の低温温度域での冷熱刺激を繰り返して与え得るように構成された温度変動手段Ｚを備えたことを特徴としている。
【００２１】
本願の第５の発明では、上記第４の発明に係る生理機能活性化装置において、上記温度変動手段Ｚを、冷熱と温熱を発生するヒートポンプ式空気調和機２で構成したことを特徴としている。
【００２２】
本願の第６の発明では、上記第４の発明に係る生理機能活性化装置において、上記温度変動手段Ｚを、ペルチェ素子を用いた冷熱発生部４と、ペルチェ素子又はヒータを用いた温熱発生部５で構成したことを特徴としている。
【００２３】
本願の第７の発明では、第４の発明に係る空気調和機の運転制御装置において、上記温度変動手段Ｚを、冷凍機を用いた冷熱発生部と、ヒータを用いた温熱発生部５で構成したことを特徴としている。
【発明の効果】
【００２４】
本願発明では次のような効果が得られる。
【００２５】
（ａ）本願の第１の発明に係る生理機能活性化方法によれば、人体Ｍに、３１℃〜３４℃の高温温度域での温熱刺激と１８℃〜２２℃の低温温度域での冷熱刺激を繰り返して与えるようにしているので、この高温低温刺激によって人体Ｍの生理機能、特に末梢血管運動機能が活性化され、血圧調節作用とか血液循環調節作用とか体温調節作用の促進によって、高血圧の予防、代謝・修復機能の低下防止、疲労回復の促進あるいは熱中症の予防等が図られることになる。
【００２６】
また、この場合、３１℃〜３４℃の高温温度域は発汗による熱放射のみが行なわれると考えられる下限温度域であり、１８℃〜２２℃の低温温度域は人体Ｍの震えが生じないと考えられる下限温度域であることから、上記高温温度域及び低温温度域を上記範囲に設定することで、人体Ｍに対して充分に高温低温刺激を与えることができ、高温低温刺激による人体Ｍの生理機能の活性化がより一層促進される。
【００２７】
（ｂ）本願の第２の発明に係る生理機能活性化方法によれば、上記低温温度域又は／及び上記高温温度域への移行後所定時間だけ当該温度を保持するようにしているので、低温刺激又は／及び高温刺激がさらに促進され、上記（ａ）に記載の効果がより一層確実ならしめられる。
【００２８】
（ｃ）本願の第３の発明に係る生理機能活性化方法によれば、上記（ａ）又は（ｂ）に記載の効果に加えて次のような特有の効果が得られる。即ち、この発明では、上記高温刺激と低温刺激を、１日１時間以上で、且つ５日間以上連続で与えるようにしているので、
高温低温刺激によって活性化された生理機能が安定したものとなり、高血圧の予防、代謝・修復機能の低下防止、疲労回復の促進あるいは熱中症の予防等の効果が長期に亘って持続されることになる。
【００２９】
（ｄ）本願の第４の発明に係る生理機能活性化装置によれば、人体Ｍに、３１℃〜３４℃の高温温度域での温熱刺激と１８℃〜２２℃の低温温度域での冷熱刺激を繰り返して与え得るように構成された温度変動手段Ｚを備えているので、該温度変動手段Ｚによる高温低温刺激によって人体Ｍの生理機能、特に末梢血管運動機能が活性化され、血圧調節作用とか血液循環調節作用とか体温調節作用の促進により、高血圧の予防、代謝・修復機能の低下防止、疲労回復の促進あるいは熱中症の予防等が図られることになる。
【００３０】
（ｅ）本願の第５の発明に係る生理機能活性化装置によれば、上記（ｄ）に記載の効果に加えて次のような特有の効果が得られる。即ち、この発明では、上記温度変動手段Ｚを、冷熱と温熱を発生するヒートポンプ式空気調和機２で構成しているので、該空気調和機２を、その本来的用途である空調装置として用いる他に、生理機能活性化装置として兼用することができ、例えば、上記温度変動手段Ｚとして専用の装置を備える場合に比して、生理機能活性化装置をより安価に提供することができる。
【００３１】
（ｆ）本願の第６の発明に係る生理機能活性化装置によれば、上記（ｄ）に記載の効果に加えて次のような特有の効果が得られる。即ち、この発明では、上記温度変動手段Ｚを、ペルチェ素子を用いた冷熱発生部４と、ペルチェ素子又はヒータを用いた温熱発生部５で構成しているので、該冷熱発生部４及び温熱発生部５の構成の簡略化、低廉化が図れ、生理機能活性化装置をより安価に提供することができる。
【００３２】
（ｇ）本願の第７の発明に係る空気調和機の運転制御方法によれば、上記（ｄ）に記載の効果に加えて次のような特有の効果が得られる。即ち、この発明では、上記温度変動手段Ｚを、冷凍機を用いた冷熱発生部と、ヒータを用いた温熱発生部５で構成しているので、該冷熱発生部４及び温熱発生部５の構成の簡略化、低廉化が図れ、生理機能活性化装置をより安価に提供することができる。
【発明を実施するための最良の形態】
【００３３】
以下、本願発明を好適な実施形態に基づいて具体的に説明する。
Ａ：第１の実施形態
図１には、本願発明の第１の実施形態に係る生理機能活性化装置を示している。この生理機能活性化装置は、部屋１の室内１ａの壁面に設置された室内空調用のヒートポンプ式空気調和機２を温度変動手段Ｚとして用いたものであって、該空気調和機２から室内１ａへ吹出される暖房運転時の温風を高温刺激の温熱源として、冷房運転時の冷風を低温刺激の冷熱源として利用するものである。
【００３４】
図２には、上記空気調和機２の制御ブロック図を示している。この空気調和機２は、インバータ制御を基調とするものであって、インバータ制御部１００を備えている。また、この空気調和機２は、運転モードとして、「通常運転モード」と「変動運転モード」が設定可能とされている。
【００３５】
ここで、「通常運転モード」は、通常の冷房運転、暖房運転等を行なうモードであって、運転モード設定スイッチ１０１によって設定される。そして、通常運転モードにおける空調条件の設定は、温度設定スイッチ１０３、風量設定スイッチ１０４、風向設定スイッチ１０５によってそれぞれ設定され、上記インバータ制御部１００に入力される。これら入力情報に基づいて上記インバータ制御部１００から出力される制御信号によって圧縮機運転周波数、室内ファン回転数、フラップ角度が制御される。
【００３６】
これに対して、「変動運転モード」は、本願発明がその要旨とするものであって、冷房運転と暖房運転を交互に繰り返すことで室内温度を所定の温度変動パターンによって変動させる運転モードであり、係る室内温度の変動によって在室者に高温低温刺激を与えてその生理機能、特に末梢血管運動機能を活性化し、血圧調節作用とか血液循環調節作用とか体温調節作用を促進し、これによって、高血圧の予防、代謝・修復機能の低下防止、疲労回復の促進あるいは熱中症の予防等を図るものである。
【００３７】
そして、上記「変動運転モード」は、変動運転モードスイッチ１０２によって、上記「通常運転モード」と択一的に設定される。また、この「変動運転モード」の設定に対応して、変動パターン設定スイッチ１０６によって温度変動パターン（次述する）が選択設定される。そして、選択設定された温度変動パターンに対応する制御信号が上記インバータ制御部１００から出力され、暖房運転と冷房運転が交互に繰り返される変動運転モードでの運転が実行される。
【００３８】
ここで、温度変動パターンについて説明する。この温度変動パターンは、室内温度の変動によって人体Ｍに高温低温刺激を与え、その生理機能の活性化を図るものであり、この実施形態では、図７〜図１０に示す四つの基本的な温度変動パターンを設定している。
【００３９】
図７に示す第１の温度変動パターンは、高温側目標温度「Ｔｍａｘ」（高温温度域３１〜３４℃の範囲内で設定される）と、低温側目標温度「Ｔｍｉｎ」（低温温度域１８〜２２℃の範囲内で設定されるもので、特に２０℃に設定するのが好適である）の温度変動幅「ΔＴ＝９〜１６℃（好適には１２℃）」の範囲内で交互に変動させるものである。
【００４０】
そして、低温側目標温度「Ｔｍｉｎ」から高温側目標温度「Ｔｍａｘ」の間では暖房運転とし、高温側目標温度「Ｔｍａｘ」から低温側目標温度「Ｔｍｉｎ」の間では冷房運転とするように運転形態を交互に変更するものである。これによって、上記空気調和機２から室内１ａへ吹出される暖房運転時の温風を高温刺激の温熱源として、冷房運転時の冷風を低温刺激の冷熱源として利用することができるものである。尚、この場合の昇温時間「ｔａ」と降温時間「ｔｂ」は、任意に設定できるが、これらを共に「２５〜３０分」に設定するのが好適である。
【００４１】
図８に示す第２の温度変動パターンは、上記第１の温度変動パターンを基調とし、制御目標温度を高温側目標温度「Ｔｍａｘ」と低温側目標温度「Ｔｍｉｎ」の間で交互に変動させるように空気調和機２の運転形態を暖房運転と冷房運転の間で交互に変化させるものにおいて、高温側目標温度「Ｔｍａｘ」への昇温後、該「Ｔｍａｘ」を所定時間「ｔｃ」だけ保持した後、低温側目標温度「Ｔｍｉｎ」側へ降温させるようにしたものである。
【００４２】
尚、この場合、温度に関しては、「Ｔｍａｘ＝３２℃」、「Ｔｍｉｎ＝２０℃」とし、変動幅「ΔＴ＝１２℃」に設定するのが好適である。また、時間に関しては、昇温時間「ｔａ」と降温時間「ｔｂ」は、共に「２５〜３０分」に設定し、高温側での保持時間「ｔｃ」は「１５分」に設定するのが好適である。
【００４３】
図９に示す第３の温度変動パターンは、上記第１の温度変動パターンを基調とし、制御目標温度を高温側目標温度「Ｔｍａｘ」と低温側目標温度「Ｔｍｉｎ」の間で交互に変動させるように空気調和機２の運転形態を暖房運転と冷房運転の間で交互に変化させるものにおいて、低温側目標温度「Ｔｍｉｎ」への降温後、該「Ｔｍｉｎ」を所定時間「ｔｄ」だけ保持した後、高温側目標温度「Ｔｍａｘ」側へ昇温させるようにしたものである。
【００４４】
尚、この場合、温度に関しては、「Ｔｍａｘ＝３２℃」、「Ｔｍｉｎ＝２０℃」とし、変動幅「ΔＴ＝１２℃」に設定するのが好適である。また、時間に関しては、昇温時間「ｔａ」と降温時間「ｔｂ」は、共に「２５〜３０分」に設定し、高温及び低温側での保持時間「ｔｃ」、「ｔｄ」は共に「１５分」に設定するのが好適である。
【００４５】
図１０に示す第４の温度変動パターンは、上記第２の温度変動パターン（図８参照）と第３の温度変動パターン（図９参照）を組み合わせたもので、制御目標温度を高温側目標温度「Ｔｍａｘ」と低温側目標温度「Ｔｍｉｎ」の間で交互に変動させるように空気調和機２の運転形態を暖房運転と冷房運転の間で交互に変化させるものにおいて、高温側目標温度「Ｔｍａｘ」への昇温後、該「Ｔｍａｘ」を所定時間「ｔｃ」だけ保持した後、低温側目標温度「Ｔｍｉｎ」側へ降温させるとともに、低温側目標温度「Ｔｍｉｎ」への降温後、該「Ｔｍｉｎ」を所定時間「ｔｄ」だけ保持した後、高温側目標温度「Ｔｍａｘ」側へ昇温させるようにしたものである。
【００４６】
尚、この場合、温度に関しては、「Ｔｍａｘ＝３２℃」、「Ｔｍｉｎ＝２０℃」とし、変動幅「ΔＴ＝１２℃」に設定するのが好適である。また、時間に関しては、昇温時間「ｔａ」と降温時間「ｔｂ」は、共に「２５〜３０分」に設定し、高温及び低温側での保持時間「ｔｃ」、「ｔｄ」は共に「１５分」に設定するのが好適である。
【００４７】
また、この実施形態では上記の四つの基本的な温度変動パターンを設定しているが、本願発明はこれに限定されるものではなく、上記高温側目標温度と低温側目標温度をそれぞれ上記所定の範囲内で変更した温度変動パターンは勿論のこと、これらの他にも、例えば、上記四つの基本的な温度変動パターンを適宜組み合わせたもの、上記昇温時間「ｔａ」と降温時間「ｔｂ」を異ならせたもの、上記保持時間「ｔｃ」を更に長く、あるいは短くしたもの等、種々の温度変動パターンを設定できる。
【００４８】
また、上記各温度変動パターンにおける高温側目標温度「Ｔｍａｘ」及び低温側目標温度「Ｔｍｉｎ」は、制御上の目標値であって、実際の室内温度とは若干相違することは言うまでもない。
【００４９】
続いて、この実施形態に係る生理機能活性化装置の運転制御を、図３に示す制御フローチャートを参照して説明する。
【００５０】
制御開始後、空調使用者によって設定された運転モードの判定を行なう（ステップＳ１）。ここで、現在「通常運転モード」が設定されていると判断された場合には、次にステップＳ６において、各設定スイッチ１０３〜１０５で設定された設定温度等を読み込み、これら各設定に基づいて通常の冷房運転或いは暖房運転を実行する（ステップＳ７）。この通常運転モードでの運転は、運転モードの切換え要求があるまで継続される（ステップＳ５）。
【００５１】
一方、ステップＳ１において、「変動運転モード」に設定されたと判断された場合には、先ず、設定された温度変動パターンを読み込み（ステップＳ２）、この温度変動パターンに基づいて変動運転モードを実行する（ステップＳ３）。即ち、設定された温度変動パターンに基づいて温度を高温側目標温度「Ｔｍａｘ」と低温側目標温度「Ｔｍｉｎ」の間で変動させるべく、上記空気調和機２の運転形態を暖房運転と冷房運転の間で交互に変化させるものである。この変動運転モードでの運転は、温度変動パターンの切換え要求があるか（ステップＳ４）、運転モードの切換え要求があるまで継続される（ステップＳ５）。
【００５２】
このように、空気調和機が「変動運転モード」で運転されることで、図１に示すように室内１ａに在室している人体Ｍは、空気調和機２から吹出される温風及び冷風によって高温低温刺激を受けることになる。
【００５３】
このような「変動運転モード」による高温低温刺激を、１日１時間以上で、且つ５日間以上連続で与えることで、この高温低温刺激によって人体Ｍの生理機能、特に末梢血管運動機能が活性化され、血圧調節作用とか血液循環調節作用とか体温調節作用の促進によって、高血圧の予防、代謝・修復機能の低下防止、疲労回復の促進あるいは熱中症の予防等が図られることになる。
【００５４】
また、この場合、３１℃〜３４℃の高温温度域は発汗による熱放射のみが行なわれると考えられる下限温度域であり、１８℃〜２２℃の低温温度域は人体Ｍの震えが生じないと考えられる下限温度域であることから、上記高温温度域及び低温温度域を上記範囲に設定することで、人体Ｍに対して充分に高温低温刺激を与えることができ、高温低温刺激による人体Ｍの生理機能の活性化がより一層促進される。
Ｂ：第２の実施形態
図４には、本願発明の第２の実施形態に係る生理機能活性化装置を示している。この生理機能活性化装置は、部屋１の室内１ａの壁面に設置されたファンコイルユニット３を温度変動手段Ｚとして用いたものであって、該ファンコイルユニット３から室内１ａへ吹出される温風を高温刺激の温熱源として、冷風を低温刺激の冷熱源として利用するものである。
【００５５】
上記ファンコイルユニット３は、図４及び図５に示すように、ペルチェ素子を用いた冷熱発生部４とヒータを用いた温熱発生部５、及び送風用のファン６を備えて構成され、上記冷熱発生部４に通電して上記ファン６を運転することで冷風が室内１ａへ吹出される一方、上記温熱発生部５に通電して上記ファン６を運転することで温風が室内１ａへ吹出される。このような上記冷熱発生部４からの冷風の吹出しと上記温熱発生部５からの温風の吹出しが交互に繰り返されることで、該冷風又は温風により人体Ｍに低温刺激又は高温刺激が与えられ、該人体Ｍの生理機能、特に末梢血管運動機能が活性化され、血圧調節作用とか血液循環調節作用とか体温調節作用の促進によって、高血圧の予防、代謝・修復機能の低下防止、疲労回復の促進あるいは熱中症の予防等が図られるものである。
【００５６】
尚、上記冷熱発生部４と温熱発生部５の交互通電による温度変動パターン、及び低温温度域と高温温度域における温度設定と通電時間の設定については、上記第１の実施形態の場合と同様であるので、その該当説明を援用することで、ここでの説明を省略する。
【００５７】
図５には、この実施形態に係る生理機能活性化装置の制御ブロック図を示している。制御部１１０には、操作スイッチ１０７から操作信号と、温度変動パターン設定スイッチ１０８からの温度変動パターン信号が入力される。尚、これら各入力信号は、室内１ａの在室者の操作に基づいて出力される。
【００５８】
上記制御部１１０では、上記操作信号と温度変動パターン信号を受けて、該温度変動パターンに基づいて室内温度を変動させるべく、上記冷熱発生部４と温熱発生部５及びファン６のそれぞれに制御信号を出力し、上記冷熱発生部４と温熱発生部５を交互に繰り返して運転させるとともに、該冷熱発生部４で発生した冷熱又は上記温熱発生部５で発生した温熱を上記ファン６によって冷風又は温風として室内１ａ内へ吹出させる。
【００５９】
続いて、この実施形態に係る生理機能活性化装置の運転制御を、図６に示す制御フローチャートを参照して説明する。
【００６０】
上記操作スイッチ１０７が操作されることで、制御が開始される。制御の開始後、温度変動パターン設定スイッチ１０８で設定された温度変動パターンを読み込む（ステップＳ１）。ここでは、図１０に示す温度変動パターンが選択された場合を例にとって説明する。
【００６１】
温度変動パターンの読み込みが完了すると、温度変動制御が開始され、先ず上記温熱発生部５のヒータに所定時間（図１０の時間「ｔａ」参照）通電され昇温（図１０の線分（イ）参照）が図られる（ステップＳ２及びステップＳ３）。
【００６２】
所定時間「ｔａ」が経過すると、高温温度域で所定時間（図１０の時間「ｔｃ」参照）だけ、温度保持（図１０の線分（ロ）参照）が行なわれる（ステップＳ４）。
【００６３】
次に、上記温熱発生部５のヒータに代えて、上記冷熱発生部４のペルチェ素子に所定時間（図１０の時間「ｔｂ」参照）通電され降温（図１０の線分（ハ）参照）が図られる（ステップＳ５及びステップＳ６）。
【００６４】
所定時間「ｔｂ」が経過すると、低温温度域で所定時間（図１０の時間「ｔｄ」参照）だけ、温度保持（図１０の線分（ニ）参照）が行なわれる（ステップＳ７）。
【００６５】
ここで、停止操作が行われたかどうか（ステップＳ８）、及び全時間（即ち、１日の運転時間として設定された「１時間」）が経過したかどうか（ステップＳ９）が判断され、停止操作が行われている場合、及び全時間が経過した場合には、共に制御を停止する（ステップＳ１１）。
【００６６】
これに対して、停止操作が行われておらず、且つ全時間も経過していない場合には、さらに温度変動パターンの変更操作がなされた否かが判断され（ステップＳ１０）、温度変動パターンの変更操作がなされた場合にはステップＳ１へリターンし、新たな温度変動パターンを読み込み、これに基づいた制御が繰り返される。これに対して、温度変動パターンの変更操作はなされていない場合には、ステップＳ２へリターンし、現在の温度変動パターンに基づいた制御が繰り返される。
【００６７】
このように上記生理機能活性化装置が運転されることで、室内１ａに在室している人体Ｍは、上記ファンコイルユニット３から吹出される温風及び冷風によって高温低温刺激を受けることになる。
【００６８】
このような上記生理機能活性化装置による高温低温刺激を、１日１時間以上で、且つ５日間以上連続で与えることで、この高温低温刺激によって人体Ｍの生理機能、特に末梢血管運動機能が活性化され、血圧調節作用とか血液循環調節作用とか体温調節作用の促進によって、高血圧の予防、代謝・修復機能の低下防止、疲労回復の促進あるいは熱中症の予防等が図られることになる。
【００６９】
なお、上記以外の作用効果は、上記第１の実施形態の場合と同様であるため、その該当説明を援用し、ここでの説明を省略する。
【図面の簡単な説明】
【００７０】
【図１】本願発明の第１の実施形態に係る生理機能活性化装置の使用状態説明図である。
【図２】本願発明の第１の実施形態に係る生理機能活性化装置の制御ブロック図である。
【図３】本願発明の第１の実施形態に係る生理機能活性化装置の制御フローチャートである。
【図４】本願発明の第２の実施形態に係る生理機能活性化装置の使用状態説明図である。
【図５】本願発明の第２の実施形態に係る生理機能活性化装置の制御ブロック図である。
【図６】本願発明の第２の実施形態に係る生理機能活性化装置の制御フローチャートである。
【図７】第１の温度変動パターン図である。
【図８】第２の温度変動パターン図である。
【図９】第３の温度変動パターン図である。
【図１０】第４の温度変動パターン図である。
【図１１】血管運動機能の活性化の検証における温度変動パターン図である。
【図１２】血管運動機能の活性化の検証結果を示す指先皮膚温グラフである。
【符号の説明】
【００７１】
１  ・・部屋
１ａ  ・・室内
２  ・・空気調和機
３  ・・ファンコイルユニット
４  ・・冷熱発生部（ぺルチェ素子）
５  ・・温熱発生部（ヒータ）
６  ・・ファン
Ｍ    ・・人体
【図１】
2009041795.tif 000003
【図２】
2009041795.tif 000004
【図３】
2009041795.tif 000005
【図４】
2009041795.tif 000006
【図５】
2009041795.tif 000007
【図６】
2009041795.tif 000008
【図７】
2009041795.tif 000009
【図８】
2009041795.tif 000010
【図９】
2009041795.tif 000011
【図１０】
2009041795.tif 000012
【図１１】
2009041795.tif 000013
【図１２】
2009041795.tif 000014